(57)【要約】【課題】設置工事時の作業者の安全性を向上し、設置工事の作業効率を高めた貯湯タンクユニットを提供する。【解決手段】本発明の貯湯タンクユニットは、湯水を貯える貯湯タンクと、本体内配管と、本体内配管と外部配管とを接続する配管接続部と、配管接続部の下方に配管接続スペースと、配管接続スペースを覆う化粧カバー４とを備え、化粧カバー４には配管取り出し口を設けるとともに、配管取り出し口を覆うフタ部５を設け、化粧カバー４とフタ部５との境界部分を、化粧カバー４の裏側で、略Ｕ字形状の接続部材６を用いて接続する。【選択図】図２
2010230241.tif 000002
【特許請求の範囲】
【請求項１】
湯水を貯える貯湯タンクと、本体内配管と、前記本体内配管と外部配管とを接続する配管接続部と、前記配管接続部の下方に配管接続スペースと、前記配管接続スペースを覆う化粧カバーとを備え、前記化粧カバーには配管取り出し口を設けるとともに、前記配管取り出し口を覆うフタ部を設け、前記化粧カバーと前記フタ部との境界部分を、前記化粧カバーの裏側で、略Ｕ字形状の接続部材を用いて接続したことを特徴とする貯湯タンクユニット。
【請求項２】
前記化粧カバーと、前記フタ部と、前記接続部材とを一体成型したことを特徴とする請求項１に記載の貯湯タンクユニット。
【請求項３】
前記化粧カバーと前記フタ部との境界線に沿って、前記化粧カバーに補強リブを設けたことを特徴とする請求項１または２に記載の貯湯タンクユニット。
【請求項４】
前記補強リブと前記接続部材とが一体成型されている箇所の補強リブに、切り欠き部８を設けたことを特徴とする請求項３に記載の貯湯タンクユニット。
【発明の詳細な説明】
【技術分野】
【０００１】
本発明は、加熱手段で生成した高温水を貯湯する貯湯タンクを有する貯湯タンクユニットに関するものである。
【背景技術】
【０００２】
図６ａ、図６ｂは、従来の貯湯タンクユニットの斜視図である。図６ａ、ｂに示すように、従来の貯湯タンクユニット１０１には、配管接続部を覆う化粧カバー１０２が設けられ、さらに貯湯タンクユニット１０１から外部に配管を出すために化粧カバー１０２には、フタ部１０３が設けられており、フタ部１０３は化粧カバー１０２にビスで取り付けられている（例えば、特許文献１参照）。
【０００３】
しかしながら、フタ部１０３を化粧カバー１０２にビスで取り付けているため、製造コストが高く、近年では合理化のため図７で示すように化粧カバー１０２とフタ部１０３とを一体構成とし、その境界部分をＡ部に示すようなミシン目のように一体成型されている。
【０００４】
このような構成の化粧カバーの場合、貯湯タンクユニットの設置工事者は、ミシン目に沿ってニッパーなどでフタ部１０３の切り取りを行い、化粧カバー１０２からフタ部１０３を取り外す。そして、フタ部１０３を取り外した部分から手を入れて、内部で配管の接続作業を行い、設置工事を行う。
【特許文献１】特開２００６−８４１１４号公報
【発明の開示】
【発明が解決しようとする課題】
【０００５】
しかしながら、図８に示すように、ミシン目で切り取った場合、手を挿入する穴に向かってバリが発生し、作業者の作業時に手を怪我してしまう可能性を有しており、ひいては作業効率を低下させてしまうという課題を有していた。
【０００６】
本発明は、前記従来の課題を解決するもので、設置工事時の作業者の安全性を向上し、設置工事の作業効率を高めた貯湯タンクユニットを提供することを目的とする。
【課題を解決するための手段】
【０００７】
前記従来の課題を解決するために、本発明の貯湯タンクユニットは、湯水を貯える貯湯タンクと、本体内配管と、前記本体内配管と外部配管とを接続する配管接続部と、前記配管接続部の下方に配管接続スペースと、前記配管接続スペースを覆う化粧カバーとを備え、前記化粧カバーには配管取り出し口を設けるとともに、前記配管取り出し口を覆うフタ部を設け、前記化粧カバーと前記フタ部との境界部分を、前記化粧カバーの裏側で、略Ｕ字形状の接続部材を用いて接続したことにより、フタ部を化粧カバーから取り外すときには、化粧カバーの裏側から接続部材を取り外すので、作業者が配管接続スペースに手を挿入しても、配管取り出し口側を向いてバリが発生していないので、作業者の安全性を確保することができる。
【発明の効果】
【０００８】
本発明は、設置工事時の作業者の安全性を向上し、設置工事の作業効率を高めた貯湯タンクユニットを提供することができる。
【発明を実施するための最良の形態】
【０００９】
第１の発明の貯湯タンクユニットは、湯水を貯える貯湯タンクと、本体内配管と、前記本体内配管と外部配管とを接続する配管接続部と、前記配管接続部の下方に配管接続スペースと、前記配管接続スペースを覆う化粧カバーとを備え、前記化粧カバーには配管取り出し口を設けるとともに、前記配管取り出し口を覆うフタ部を設け、前記化粧カバーと前記フタ部との境界部分を、前記化粧カバーの裏側で、略Ｕ字形状の接続部材を用いて接続したことにより、フタ部を化粧カバーから取り外すときには、化粧カバーの裏側から接続部材を取り外すので、作業者が配管接続スペースに手を挿入しても、配管取り出し口側を向いてバリが発生していないので、作業者の安全性を確保することができる。
【００１０】
第２の発明の貯湯タンクユニットは、特に第１の発明において、前記化粧カバーと、前記フタ部と、前記接続部材とを一体成型したことにより、接続部材を新たに設ける必要がなく、コストを削減することができる。
【００１１】
第３の発明の貯湯タンクユニットは、特に第１または第２の発明において、化粧カバーとフタ部との境界線に沿って、化粧カバーに補強リブを設けたことにより、切り離した後であっても強度を向上させることができる。
【００１２】
第４の発明の貯湯タンクユニットは、特に第３の発明において、補強リブと接続部材とが一体成型されている箇所に、切り欠き部８を設けたことにより、化粧カバーと接続部材との切断作業が容易化される。
【００１３】
以下、本発明の実施の形態について、図面を参照しながら説明する。なお、この実施の形態によって本発明が限定されるものではない。
【００１４】
（実施の形態１）
図１は、実施の形態１における貯湯タンクユニットの斜視図である。図１において貯湯タンクユニット１の筐体の内部には貯湯タンク（図示せず）を配設しており、貯湯タンク内の高温水を給湯配管を通して外部にある給湯端末へ供給する構成となっている。
【００１５】
そして設置工事時には、給湯端末からの外部配管（図示せず）と、貯湯タンクからの本体内配管（図示せず）とを配管接続部にて接続する作業を行う。このような接続作業を行う配管接続スペースを覆う部分に化粧カバー４を設けており、化粧カバー４の一部に配管を取り出すための配管取り出し口が設けられており、それを覆うフタ部５を設けている。またタンクユニット１の設置場所に応じて配管取り出し口が変更できるように、複数のフタ部５を設けている。
【００１６】
図２は、化粧カバー４およびフタ部５を裏面から見た図である。図２に示すように、化粧カバー４とフタ部５とは、それぞれの端部を一体的に接続する略Ｕ字形状の接続部材６で接続されている。なお、接続部材６は、化粧カバー４とフタ部５との境界に沿って複数個配置している。
【００１７】
図３は、接続部材６をＤ側方向から見た図である。図２および図３に示すように、接続部材６は化粧カバー４およびフタ部５の平面に対して略垂直方向に延伸している。そして、設置工事時にフタ部５から配管を取り出す場合には、化粧カバー４とフタ部５とを切り離す作業を行う。
【００１８】
具体的には、図３に示すようにニッパーなどで破線部分を切断する。その結果、化粧カバー４とフタ部５とは切り離されるが、切断した時に化粧カバー４およびフタ部５の切断部分で発生するバリは、接続部材６が化粧カバー４およびフタ部５の平面に対して略垂直方向に延伸しているため、タンクユニット１の内方に向かって発生する。
【００１９】
つまり、フタ部５を切り取った部分に手を入れて作業をしても、化粧カバー４の内方に向かってバリが発生しているので、直接手にバリが触れることがなく、安全に作業を行うことができる。
【００２０】
（実施の形態２）
実施の形態１における貯湯タンクユニットの構成は図１と同じである。図１においてタンクユニット１の筐体の内部には貯湯タンク（図示せず）を配設しており、貯湯タンク内の高温水を給湯配管を通して外部にある給湯端末へ供給する構成となっている。そしてタンクユニット１の筐体を構成し配管接続部を覆う部分に化粧カバー４を設けており、化粧カバー４の一部に配管を取り出すためのフタ部５を設けている。またタンクユニット１の設置場所に応じて配管取り出し口が変更できるように、複数のフタ部５を設けている。
【００２１】
図４は、化粧カバー４およびフタ部５を裏面から見た図である。図４に示すように、化粧カバー４とフタ部５とは、それぞれの端部を一体的に接続する略Ｕ字形状の接続部材６で接続されている。なお、接続部材６は、化粧カバー４とフタ部５との境界に沿って複数個配置している。
【００２２】
そして、実施の形態１と異なるところは、化粧カバー４とフタ部５との境界線に沿って、化粧カバー４側に化粧カバー４の平面と略垂直となるように補強リブ７を設けている。補強リブ７はフタ部５との境界線に沿って連続的に設けられている。そして略Ｕ字形状の接続部材６の端部は、補強リブ７とフタ部５とに接続されている。このように補強リブ７を設けることによって、切り離した部分の強度を高めることができる。
【００２３】
図５は、接続部材６をＥ側方向から見た図である。図４および図５に示すように、接続部材６は化粧カバー４およびフタ部５の平面に対して略垂直方向に延伸している。そして、設置工事時にフタ部５から配管を取り出す場合には、化粧カバー４とフタ部５とを切り離す作業を行う。また、接続部材６と補強リブ７との接続部には、切断作業が行いやすいように一部切り欠き部８を設けている。
【００２４】
そして実施の形態１と同様にニッパーなどで破線部分を切断する。その結果、化粧カバー４とフタ部５とは切り離されるが、切断した時に化粧カバー４およびフタ部５の切断部分で発生するバリは、接続部材６が化粧カバー４およびフタ部５の平面に対して略垂直方向に延伸しているため、タンクユニット１の内方に向かって発生する。また切り欠き部８を設けることによって切断箇所をニッパーなどで挟み込みやすくなっている。
【００２５】
つまり、フタ部５を切り取った部分に手を入れて作業をしても、化粧カバー４の内方に向かってバリが発生しているので、直接手にバリが触れることがなく、安全に作業を行うことができる。
【００２６】
以上のように、本実施の形態の貯湯タンクユニットは、フタ部を切断したときのバリの発生が、貯湯タンクユニットの内方に向かって発生するので、安全に設置作業ができる
【産業上の利用可能性】
【００２７】
本発明は、ヒートポンプ式給湯機や電気温水器など貯湯タンクユニットを有した貯湯式給湯機の構成に適用することができる。
【図面の簡単な説明】
【００２８】
【図１】本発明の実施の形態１における貯湯タンクユニットの斜視図
【図２】同実施の形態１における要部拡大図
【図３】同実施の形態１における要部拡大図
【図４】本発明の実施の形態２における要部拡大図
【図５】同実施の形態２における要部拡大図
【図６】従来の貯湯タンクユニットの斜視図
【図７】従来の貯湯タンクユニットの要部拡大図
【図８】従来の貯湯タンクユニットの要部拡大図
【符号の説明】
【００２９】
１  貯湯タンクユニット
４  化粧カバー
５  フタ部
６  接続部材
【図１】
2010230241.tif 000003
【図２】
2010230241.tif 000004
【図３】
2010230241.tif 000005
【図４】
2010230241.tif 000006
【図５】
2010230241.tif 000007
【図６】
2010230241.tif 000008
【図７】
2010230241.tif 000009
【図８】
2010230241.tif 000010